(57)【要約】【課題】オッズの表示内容が設置場所や表示すべき時点で受像機に正しく表示されているかを監視する受像機の表示内容監視システム、方法及びプログラムを提供する。【解決手段】トータリゼータホスト２３からオッズ情報の更新が通知されると映像送出設備１７の映像送出機１８は当該オッズ情報の映像とこの映像に関わる識別情報とこの識別情報の二次元コードを生成し、識別情報を受像機監視装置２１に送信し、二次元コードを付加したオッズ情報の映像を場内の受像機２８−ｉ（ｉ＝１、２、・・・、ｎ）に送信する。受像機２８毎に専用の二次元コードリーダ３３−ｉは、受像機２８の二次元コード表示位置を読み取ってその読取データを受像機監視装置２１に送信する。受像機監視装置２１は読取データに二次元コードが無いとき、又はあってもその二次元コードが示す識別情報と表示時の識別情報との間に差異があれば受像機の不具合と判別して警報を報知する。【選択図】図２
2014106818.tif 000002
【特許請求の範囲】
【請求項１】
公営競技の各種投票券の集計処理を行って該集計処理の結果として得られる画像情報を複数の受像機に表示させ、該表示内容を監視する受像機の表示内容監視システムにおいて、
トータリゼータホストから前記画像情報を取得する画像情報取得手段と、
該画像情報取得手段にて取得された前記画像情報ごとに該画像情報と該画像情報を表示する前記受像機とを特定するコードを生成するコード生成手段と、
前記受像機に前記画像情報と共に前記コードを表示するコード表示手段と、
該コード表示手段により表示される前記コードを読み取るコード読取手段と、
該コード読取手段により読み取られた前記コードが前記受像機に正しく表示されていないとき前記受像機の異常を報知する異常報知手段と、
を有することを特徴とする受像機の表示内容監視システム。
【請求項２】
前記コード生成手段は、
前記画像情報取得手段が前記トータリゼータホストからを取得する前記画像情報ごとに識別コードを生成する識別コード生成手段と、
前記識別コードを二次元コードに符号化する二次元コード符号化手段と、
を有し、
前記コード表示手段は、
前記コードを前記画像情報の所定の部位に貼り付けるコード貼付け手段を有し、
該コード貼付け手段により前記コードを貼り付けられた前記画像情報を前記受像機に送信して該受像機に前記画像情報に基づく画像を前記コードと共に表示する、
ことを特徴とする請求項１に記載の受像機の表示内容監視システム。
【請求項３】
前記画像情報はオッズ情報である、ことを特徴とする請求項１または請求項２に記載の受像機の表示内容監視システム。
【請求項４】
前記識別コードは、少なくとも競技の開催場を特定するコード、開催回・日にち・レース番号を特定するコード、前記識別コードに関わる画面を表示する前記受像機を特定するコード、前記画面で表示される賭式の種類を特定するコード、前記画面が更新された時間を特定するコードから成る数列のシリアルデータである、ことを特徴とする請求項２に記載の受像機の表示内容監視システム。
【請求項５】
前記所定の部位は、前記画像情報を前記画面としたときの該画面の四つの角のいずれか１つの角に対応する部位である、ことを特徴とする請求項２に記載の受像機の表示内容監視システム。
【請求項６】
公営競技の各種投票券の集計処理を行って該集計処理の結果として得られる画像情報を複数の受像機に表示させ、該表示内容を監視する受像機の表示内容監視方法において、
トータリゼータホストから前記画像情報を取得する画像情報取得工程と、
該画像情報取得工程にて取得された前記画像情報ごとに該画像情報と該画像情報を表示する前記受像機とを特定するコードを生成するコード生成工程と、
前記受像機に前記画像情報と共に前記コードを表示するコード表示工程と、
該コード表示工程により表示される前記コードを読み取るコード読取工程と、
該コード読取工程により読み取られた前記コードが前記受像機に正しく表示されていないとき前記受像機の異常を報知する異常報知工程と、
を含むことを特徴とする受像機の表示内容監視方法。
【請求項７】
公営競技の各種投票券の集計処理を行って該集計処理の結果として得られる画像情報を複数の受像機に表示させ、該表示内容を監視するコンピュータにより読み取り可能な受像機の表示内容監視プログラムにおいて、
トータリゼータホストから前記画像情報を取得する画像情報取得手順と、
該画像情報取得手順にて取得された前記画像情報ごとに該画像情報と該画像情報を表示する前記受像機とを特定するコードを生成するコード生成手順と、
前記受像機に前記画像情報と共に前記コードを表示するコード表示手順と、
該コード表示手順により表示される前記コードを読み取るコード読取手順と、
該コード読取手順により読み取られた前記コードが前記受像機に正しく表示されていないとき前記受像機の異常を報知する異常報知手順と、
を前記コンピュータに実行させることを特徴とする受像機の表示内容監視プログラム。
【発明の詳細な説明】
【技術分野】
【０００１】
本発明は、受像機の表示内容監視システム、方法、及びプログラムに関わり、更に詳しくは、公営競技の各種投票券を集計処理するトータリゼータにおけるオッズの表示内容が設置場所や表示すべき時点で受像機に正しく表示されているかを監視する受像機の表示内容監視システム、方法、及びプログラムに関する。
【背景技術】
【０００２】
従来、競馬、競輪、競艇、オートレース等の公営競技におけるオッズ等の情報を表示するオッズ表示装置において、モニタ（受像機）は、場内各所に設置され、レースに関する多種多様な情報を表示している。
【０００３】
しかし、レースに関する情報は、例えば、オッズ（当たったときの配当金額、人気馬の情報）だけでも、馬券では投票の仕方が３３６０通り位もあるのに対し、１台のモニタには最大で４２０通りの情報しか表示できない。
【０００４】
したがって、３３６０通りものオッズ情報を１台のモニタで全て表示することは時間的に困難であるため、１つの発売場内で、様々な情報を表示するモニタが、多数設置されている。そして、各モニタ毎に情報の表示内容が異なっている。
【０００５】
これに対して、例えば、公営競技における情報表示画面（オッズ）からファンが見たい情報を見たいときに常に見ることを可能にし、且つ、使用するモニタ数は極力少なくするマルチ情報表示システムが提案されている。（例えば、特許文献１参照。）
【０００６】
これは、オッズ表示モニタに第１レースから第１２レースまでのオッズを周期的に表示し続け、表示周期は１秒間に同一画面を１０回ほどとし、１２種類のオッズ画面は固有の周波数の光を発し、オッズ情報波（可視光）ＯＤ１〜ＯＤ１２として表示する。
【０００７】
そして、特定帯域の波長のみ透過する性質を持つフィルタを用意し、オッズを見る人は見たい情報の波長のみ透過するフィルタを介してオッズ表示モニタを見ることで、常に希望の情報を１秒間に１０回程度の点滅画像として見ることができるというものである。
【０００８】
また、競技場には、どこからでも現在行われている競技の様子を見ることが出来る大型表示盤が設置されている。このような大型表示盤を構成する画素にはＬＥＤランプが用いられている。長寿命で知られているＬＥＤランプでも使用頻度によっては点灯切れを起こすことが多々ある。
【０００９】
大画面の中の１画素の点灯の不具合は、遠目には目立たないが、放置して近隣の他の画素の点灯の不具合と重なったりすると、画面の画質を大きく損ねる。そこで、大型表示盤を構成するＬＥＤランプの故障状態を、運用中においても監視できるようにする大型表示盤の発光表示素子監視装置が提案されている。（例えば、特許文献２参照。）
【先行技術文献】
【特許文献】
【００１０】
【特許文献１】特開２０００−１８１３９１号公報
【特許文献２】特開２０１１−２０９６３７号公報
【発明の概要】
【発明が解決しようとする課題】
【００１１】
ところで、３３６０通りものオッズ情報があり、１台のモニタで最大４２０通りの情報しか表示できない現状において、特許文献１のように使用するモニタ数を極力少なくするとはいっても限度がある。また、フィルタを使用するのもファンにとっては面倒である。やはり、様々な情報を表示するモニタを各所に多数設置したほうが現実的である。
【００１２】
一般に公営競技場では、多数設置されているモニタに対して、オッズ等の情報を表示する映像情報は映像送出設備からそれぞれ異なる複数の映像情報（番組という）が送出されており、各モニタで表示する映像情報の内容が決められている。また、オッズ等の情報内容は約１分毎に更新され、常に最新の映像情報（番組）をモニタに表示する必要がある。
【００１３】
しかし、モニタ及び映像送出設備の不具合により各モニタで表示されるべき映像情報の内容と異なる事象、例えば、モニタ自体の故障等により表示が出ない、また、更新されているべき情報が更新されていない等の不具合が発生することがある。
【００１４】
このようなモニタの表示面の不具合に対する保守は、特許文献２のように１個の画素の不具合を検出して競技終了後に補修するというような余裕を持った保守作業では間に合わない。競技に対する投票は、モニタを見るファンの判断に拠るところが大きいので、モニタの不具合の修復は緊急を要する。
【００１５】
しかし、これらモニタの表示面の不具合を検知する方法は、ファンによる通報か監視係員による目視しかないという不具合検知方法しかなく、これでは競技に対するファンの不信を招くことにもなりかねず、一刻も早くモニタの表示面の不具合を知る必要があるという解決すべき課題があった。
【００１６】
本発明は、上記従来の課題を解決するものであって、トータリゼータにおけるオッズ等の情報を表示する受像機（モニタ）で表示異常が発生した場合に異常を検知して保守員のいる電算機室に設置された受像機監視装置に警報を報知する受像機の表示内容監視システム、方法、及びプログラムを提供することを目的とする。
【課題を解決するための手段】
【００１７】
上記課題を解決するために、本発明の受像機の表示内容監視システムは、公営競技の各種投票券の集計処理を行って該集計処理の結果として得られる画像情報を複数の受像機に表示させ、該表示内容を監視する受像機の表示内容監視システムにおいて、トータリゼータホストから上記画像情報を取得する画像情報取得手段と、該画像情報取得手段にて取得された上記画像情報ごとに該画像情報と該画像情報を表示する上記受像機とを特定するコードを生成するコード生成手段と、上記受像機に上記画像情報と共に上記コードを表示するコード表示手段と、該コード表示手段により表示される上記コードを読み取るコード読取手段と、該コード読取手段により読み取られた上記コードが上記受像機に正しく表示されていないとき上記受像機の異常を報知する異常報知手段と、を有するように構成される。
【００１８】
この受像機の表示内容監視システムにおいて、例えば、上記コード生成手段は、上記画像情報取得手段が上記トータリゼータホストからを取得する上記画像情報ごとに識別コードを生成する識別コード生成手段と、上記識別コードを二次元コードに符号化する二次元コード符号化手段と、を有し、上記コード表示手段は、上記コードを上記画像情報の所定の部位に貼り付けるコード貼付け手段を有し、該コード貼付け手段により上記コードを貼り付けられた上記画像情報を上記受像機に送信して該受像機に上記画像情報に基づく画像を上記コードと共に表示する、ように構成される。
【００１９】
また、この受像機の表示内容監視システムにおいて、例えば、上記画像情報はオッズ情報であり、上記識別コードは、少なくとも競技の開催場を特定するコード、開催回・日にち・レース番号を特定するコード、上記識別コードに関わる画面を表示する上記受像機を特定するコード、上記画面で表示される賭式の種類を特定するコード、上記画面が更新された時間を特定するコードから成る数列のシリアルデータであり、上記所定の部位は、上記画像情報を上記画面としたときの該画面の四つの角のいずれか１つの角に対応する部位である、ように構成される。
【００２０】
また、上記課題を解決するために、本発明の受像機の表示内容監視方法は、公営競技の各種投票券の集計処理を行って該集計処理の結果として得られる画像情報を複数の受像機に表示させ、該表示内容を監視する受像機の表示内容監視方法において、トータリゼータホストから上記画像情報を取得する画像情報取得工程と、該画像情報取得工程にて取得された上記画像情報ごとに該画像情報と該画像情報を表示する上記受像機とを特定するコードを生成するコード生成工程と、上記受像機に上記画像情報と共に上記コードを表示するコード表示工程と、該コード表示工程により表示される上記コードを読み取るコード読取工程と、該コード読取工程により読み取られた上記コードが上記受像機に正しく表示されていないとき上記受像機の異常を報知する異常報知工程と、を含んで構成される。
【００２１】
また、上記課題を解決するために、本発明の受像機の表示内容監視プログラムは、公営競技の各種投票券の集計処理を行って該集計処理の結果として得られる画像情報を複数の受像機に表示させ、該表示内容を監視するコンピュータにより読み取り可能な受像機の表示内容監視プログラムにおいて、トータリゼータホストから上記画像情報を取得する画像情報取得手順と、該画像情報取得手順にて取得された上記画像情報ごとに該画像情報と該画像情報を表示する上記受像機とを特定するコードを生成するコード生成手順と、上記受像機に上記画像情報と共に上記コードを表示するコード表示手順と、該コード表示手順により表示される上記コードを読み取るコード読取手順と、該コード読取手順により読み取られた上記コードが上記受像機に正しく表示されていないとき上記受像機の異常を報知する異常報知手順と、を上記コンピュータに実行させるように構成される。
【発明の効果】
【００２２】
本発明の受像機の表示内容監視システム、方法、及びプログラムは、場内のモニタが故障した場合にファンの通報が入る前にシステム管理者がいち早くモニタの故障を検知し、モニタ交換や、ファンに対し故障している旨の通知をすることができるので、ファンサービスの向上に貢献できる。
【００２３】
また、受像機の表示内容監視システム、方法、及びプログラムにおいて、モニタの表示内容が異なっていたり、更新がされていない状態になってしまった場合でも、システム管理者はいち早く異常を検知してモニタの障害に対して短時間で対応をとることができるので、この点でもファンサービスの向上に貢献できる
【図面の簡単な説明】
【００２４】
【図１】従来のトータリゼータ場内表示システムのハードブロックの概要を示す図である。
【図２】本発明の実施例１としての受像機の表示内容監視システムのハード構成のブロック図である。
【図３】実施例１の受像機の表示内容監視システムにおいて映像送出機にて生成され受像機に表示される二次元データが付加されたオッズデータ映像の例を示す図である。
【図４】実施例１の受像機の表示内容監視システムにおける映像送出設備の映像送出機の機能ブロック図である。
【図５】実施例１の受像機の表示内容監視システムにおける識別コード生成部のコード生成部で生成される識別コードの数値構成を説明する図表である。
【図６】識別コードから生成された二次元コード映像を右上角に表示される各種のオッズデータ映像がそれぞれに対応する受像機に映し出された場合の放映チャンネルとその番組情報種別の例を示す図表である。
【図７】実施例１の受像機の表示内容監視システムにおける映像送出設備の受像機監視装置の機能ブロック図である。
【図８】映像送出設備の図４に示した映像送出機の各部による処理動作を判りやすくまとめて示すフローチャートである。
【図９】映像送出設備の図７に示した受像機監視装置の各部による処理動作を判りやすくまとめて示すフローチャートである。
【発明を実施するための形態】
【００２５】
以下、本発明の実施の形態について、詳細に説明する前に、比較参考のため従来の受像機表示システムについて簡単に説明する。
図１は、従来の受像機表示システムのブロック図である。図１は境界線１の左側にモニタ用の映像を送出する計算機室側の構成を示し、右側に受像機（モニタ）を配置した場内側の構成を示している。
【００２６】
図１に示す計算機室側には、映像送出設備２が配置されている。映像送出設備２は、映像送出機３と混合器・変調器４を備えている。映像送出機３には外部のトータリゼータホスト５から各種のオッズデータが入力される。
【００２７】
映像送出機３は、トータリゼータホスト５から送信されてきた各種のオッズデータを、それぞれ映像信号６として混合器・変調器４に出力する。混合器・変調器４は映像送出機３から入力された映像信号６をテレビ映像信号に変換して、そのテレビ映像信号を同軸配線からなる配線網９を介して場内側装置に出力する。
【００２８】
場内側には、分波器７と複数の受像機（モニタ）８（８−１、８−２、・・・）が配置されている。分波器７には計算機室側から配線網９を介してテレビ映像信号が入力される。分波器７は、入力されたテレビ映像信号を配線１１を介して、所定の受像機８（８−１、８−２、・・・）に配分する。
【００２９】
これら受像機８（８−１、８−２、・・・）に配分されたテレビ映像信号によるテレビ映像に不具合が生じた場合、その不具合の発見は、ファンによる通報か監視係員による目視に頼るしかないことは前述した。
【実施例１】
【００３０】
図２は、本発明の実施例１としての受像機の表示内容監視システムのハード構成のブロック図である。図２に示す受像機の表示内容監視システム１５は、境界線１６の左側にモニタ用の映像を送出する計算機室側の構成を示し、右側にモニタ（以下、受像機という）を配置した場内側の構成を示している。
【００３１】
図２に示す計算機室側には、映像送出設備１７が配置されている。映像送出設備１７は映像送出機１８と混合器・変調器１９と、受像機監視装置２１と、計算機室ネットワーク機器２２を備えている。映像送出機１８には外部のトータリゼータホスト２３から各種のオッズデータが入力される。
【００３２】
映像送出機１８は、トータリゼータホスト２３から入力された各種のオッズデータに、詳しくは後述する二次元データを付加して、その二次元データを付加した出力チャンネル毎のオッズデータ映像信号２４を混合器・変調器１９に出力する。
【００３３】
また、映像送出機１８は、混合器・変調器１９に出力した出力チャンネル毎のオッズデータ映像信号２４に関わる情報種別と更新情報２５を受像機監視装置２１に出力する。
【００３４】
受像機監視装置２１は、映像送出機１８から情報種別と更新情報２５を受け取ると、制御信号２０を計算機室ネットワーク機器２２に送信して、後述する二次元コードリーダ３３の駆動と、映像の読み取り結果の受信を指示する。
【００３５】
混合器・変調器１９は映像送出機１８から入力されたオッズデータ映像信号２４をテレビ映像信号に変換して、そのテレビ映像信号を同軸配線からなる配線網２６を介して場内側装置に出力する。
【００３６】
場内側には、分波器２７と、この分波器２７に接続された複数の受像機２８（２８−１、２８−２、・・・）が配置されている。分波器２７は、入力されたテレビ映像信号を分波器配線２９を介して、所定の受像機２８に配分する。
【００３７】
さらに、場内側には、ＬＡＮ配線３１等を介して計算機室ネットワーク機器２２に接続された例えばハブ等からなる場内ネットワーク機器３２が配設されている。場内ネットワーク機器３２には、カメラからなる複数の二次元コードリーダ３３（３３−１、３３−２、・・・）が接続されている。
【００３８】
二次元コードリーダ３３（３３−１、３３−２、・・・）は、複数の受像機２８（２８−１、２８−２、・・・）にそれぞれ対応して配置されており、受像機２８にオッズデータ映像と共に表示されているはずの二次元コードの表示位置を読み取り、その読み取った結果を場内ネットワーク機器３２、ＬＡＮ配線３１等、計算機室ネットワーク機器２２を介して受像機監視装置２１に送信する。
【００３９】
図３は、映像送出機１８にて生成され、受像機２８に表示される二次元データが付加されたオッズデータ映像３４の例を示す図である。図３は、例えば、ＡＢＣ競技場で開催されている競輪の３連単のオッズ情報を示す映像の例を示している。
【００４０】
３連単のオッズ情報は、実際には、図３の他に、もう１台の受像機に表示される映像と合わせて完全な３連単のオッズ情報となる。これらの受像機２８のオッズデータ映像３４の右上角には小さく二次元コード映像３５が表示されている。
【００４１】
二次元コードに含まれる情報量は比較的多いので、右上角に小さく表示される程度の二次元コード映像３５でも、後述するオッズ情報の情報種別や更新情報を表示することは容易にできる。
【００４２】
図４は、上記の映像送出機１８の機能ブロック図である。図４に示すように、映像送出機１８は、機能的には、制御部３６を中心に、この制御部３６に制御される運用情報管理部３７、画面生成部３８、及び識別コード生成部３９からなる。
【００４３】
運用情報管理部３７は、記憶装置を備えたホスト情報保存部４１と、これも他の記憶装置を備えた運用パターン保存部４２を有している。
【００４４】
運用情報管理部３７において、ホスト情報保存部４１は、トータリゼータホスト２３から入力されるホスト情報を解析し、解析結果として取得した開催情報及びオッズ情報を保存する。
【００４５】
運用情報管理部３７の運用パターン保存部４２は、各出力チャンネルの表示情報やその表示スケジュール等からなるオッズ等の表示制御情報を予め保存する。
【００４６】
制御部３６は、トータリゼータホスト２３からのオッズ情報更新を検出すると、識別コード生成部３９に識別コードの生成を指示すると共に、画面生成部３８に各オッズ画面の生成を指示する。
【００４７】
識別コード生成部３９は、コード生成部４３、識別コード保存部４４、及びコード通知部４５を有している。コード生成部４３は、運用情報管理部３７のホスト情報保存部４１に保存されているホスト情報（開催情報、オッズ情報、更新時間）と、運用パターン保存部４２に保存されている運用パターンとに基づいて、各オッズ画面用の詳しくは後述する識別コードを生成する。
【００４８】
識別コード保存部４４は、コード生成部４３が生成した識別コードを、画面生成部３８用と受信機監視装置２１用に保存する。コード通知部４５は、識別コード保存部４４に保存された識別コードを読み出して、その読み出した識別コードを画像生成部３８と、受像機監視装置２１とに通知する。
【００４９】
画面生成部３８は、画面描画部４６、画像変換部４７、及び二次元コード生成部４８を有している。画面生成部３８において画面描画部４６は、運用情報管理部３７のホスト情報保存部４１に保存された開催情報やオッズ情報からなるホスト情報と、運用パターン保存部４２に保存されている運用パターン情報とに基づいて各オッズ等の画面を生成する。
【００５０】
画面生成部３８の二次元コード生成部４８は、識別コード生成部３９のコード通知部４５から通知された識別コードを二次元コード映像３５に変換し、この二次元コード映像３５を、画面描画部４６で生成された各オッズ画面の右上角に対応する位置に付加する。
【００５１】
画像変換部４７は、上記のように二次元コード映像３５を付加された各オッズ画面を、受像機２８で使用できるテレビ映像信号に変換し、これらのテレビ映像信号を、これらテレビ映像信号にそれぞれ対応する場内の受像機２８（２８−１、２８−２、・・・）に配信する。
【００５２】
図５は、識別コード生成部３９のコード生成部４３で生成される識別コードの数値構成を説明する図表である。図５に示す図表５０は、運用情報管理部３７のホスト情報保存部４１に保存したホスト情報の所定のホスト情報を、このホスト情報に対応して運用パターン保存部４２から読み出された所定の運用パターンにはめ込んで生成されたものである。
【００５３】
図５に示す例では、図表５０は、上から下へ、情報の行、情報例の行、数値例の行、識別コードの行と４段の行に分かれている。上段行から３段目行までは、各行が左から右へ５つの情報欄５１〜５６に分かれている。
【００５４】
左端の情報欄５１は開催場のコード欄であり、これに対応する情報例の行には、「○×△競輪」の記述があり、これに対応する数値例の行には、○×△競輪場を示す「１２３」のコードが記述されている。
【００５５】
次の情報欄５２は、開催回、日、レースＮｏ．のコードの欄であり、これに対応する情報例の行には、「３回、１日、９レース」の記述があり、これに対応する数値例の行には、「３回、１日、９レース」を示す「０３０１０９」のコードが記述されている。
【００５６】
次の情報欄５３は、出力チャンネルのコードの欄であり、これに対応する情報例の行には、「５チャンネル」の記述があり、これに対応する数値例の行には、「５チャンネル」を示す「０５」のコードが記述されている。つまり、本例のシステムは、９９チャンネルまで対応できるようになっている。
【００５７】
次の情報欄５４は、画面種別のコードの欄であり、これに対応する情報例の行には、「３連単」の記述があり、これに対応する数値例の行には、「３連単」を示す「０３」のコードが記述されている。
【００５８】
次の情報欄５５は、更新時間のコードの欄であり、これに対応する情報例の行には、記述が無く、数値例の行に更新時間「２０１２年７月６日１８時３０分」を示す「２０１２０７０６１８３０」のコードが記述されている。ちなみに、オッズ情報の更新は１分ごとに行われる。
【００５９】
次の情報欄５６は、チェックコードのコードの欄であり、これに対応する情報例の行には記述が無く、数値例の行にチェックコードである「５７」が記述されている。
【００６０】
そして最下段の識別コードの行には、上記情報欄５１〜５６のコードをそのまま横に並べることによって生成された「１２３０３０１０９０５０３２０１２０７０６１８３０５７」が識別コードとして記述されている。
【００６１】
なお、情報欄５４の画面種別のコード欄に対応する情報例は、図５の「３連単」に限らず、例えば「２車単」、「２車複」等、９車・６枠の組み合わせに対応する数のオッズの画面種別が存在する。
【００６２】
図６は、上記のような識別コードから生成された二次元コード映像３５を右上角に表示される各種のオッズデータ映像３４（図３参照）が、それぞれに対応する受像機２８に映し出された場合の、放映チャンネルとその番組情報種別の例を示す図表である。
【００６３】
なお、図６の図表５７には、左から右へ、受像機を受像機２８−１、２８−２、・・・、２８−ｎとして示し、二次元コードリーダをコードリーダ３３−１、３３−２、・・・、３３−ｎとして示し、放映チャンネルを１ｃｎ、２ｃｈ、・・・、２５ｃｈで示し、番組情報種別を「２車単／２車複」、「３連単」、・・・、「成績」として示している。
【００６４】
上記の受像機２８と二次元コードリーダ３３との対応は、各二次元コードリーダ３３に固有番号（−１、−２、・・・、−ｎ）を付加し、いずれの二次元コードリーダ３３がどの受像機２８（２８−１、２８−２、・・・、２８−ｎ）を担当しているか判別できるようにしているものである。
【００６５】
図７は、図２に示した受像機監視装置２１の機能ブロック図である。図７に示すように受像機監視装置２１は、機能的には、制御部６０を中心に、この制御部６０に制御される識別情報生成部６１、受像機情報読み取り部６２、及び受像機異常監視部６３からなる。
【００６６】
識別情報生成部６１において、識別コード保存部６４は、映像送出設備１８より受信した各識別コードを保存する。受像機情報保存部６５は、各受像機２８の放映チャンネル設定や、表示される情報種別を記述した表示情報データを予め登録し保存している。
【００６７】
識別情報生成部６６は、識別コード保存部６４の識別コードと、受像機情報保存部６５の受像機情報とに基づいて、識別情報を作成する。この識別情報は、各受像機で放映されているべき情報（番組情報種別、更新時間等）を一覧にまとめたものである。
【００６８】
識別情報保存部６７は、識別情報生成部６６で生成された識別情報を保存する。この識別情報は、受像機異常検出部６３で比較用に使用されるデータである。
【００６９】
一方、受像機情報読み取り部６２において、二次元コードリーダ制御部６８は、制御部６０からの読み取り指示のあったとき、または定期的に、場内各所の受像機２８に対応して配置されている二次元コードリーダ３３を制御し、受像機２８の表示画面の右上角から読み取った二次元コード映像３５を取得する。
【００７０】
読取データ保存部６９は、二次元コードリーダ制御部６８により取得された各受像機２８に表示された二次元コード映像３５を読取データとして保存する。
【００７１】
受像機異常監視部６３において、受像機異常検出部７１は、識別情報生成部６１の識別情報保存部６７に保存されている識別情報と、受像機情報読み取り部６２の読取データ保存部６９に保存されている各受像機２８の表示画面から読み取った読取データとを比較して、差異がなければ、受像機異常通知部７２に「異常なし」を通知する。
【００７２】
一方、受像機異常検出部７１は、識別情報生成部６１の識別情報保存部６７に保存されている識別情報と受像機情報読み取り部６２の読取データ保存部６９に保存されている各受像機２８の表示画面から読み取った読取データとの間に差異がある場合には、受像機異常通知部７２に、異常のある受像機２８の固有番号（−ｉ）（ｉ＝１、２、・・・、ｎ）を通知する。
【００７３】
受像機異常通知部７２は、受像機異常検出部７１から異常と判断された通知を受信すると、その通知に基づいて、例えばスピーカ７３等により、いずれの受像機２８−ｉ（ｉ＝１、２、・・・、ｎ）に異常が発生しているかの警報７４を音声にて保守員に報知する。
また管理者通知用表示機７５に警報を表示通知する。
【００７４】
図８は、上述した映像送出設備１７の図４に示した映像送出機１８の各部による処理動作を判りやすくまとめて示すフローチャートである。
【００７５】
図４の制御部３６は、図８において、先ず、ホスト情報の更新があるか否か判別する(ステップＳ１）。この処理は、トータリゼータホスト２３から、オッズ情報の更新通知が運用情報管理部３７に入力されているか否かを判別する処理である。
【００７６】
そして、更新通知がなければ（Ｓ１の判別がＮｏ）、更新通知があるまで待機する。一方、更新通知があれば（Ｓ１の判別がＹｅｓ）、識別コード生成部３９のコード生成部４３で画面生成部３８用と受信機監視装置２１用の識別コードを生成する。（ステップＳ２）、これと同時に、画面生成部３８の画面描画部４６で該当オッズ画面の描画を行う（ステップＳ３）。
【００７７】
ステップＳ２のコード生成部４３で生成された画面生成部３８用と受信機監視装置２１用の識別コードは、コード生成部４３で生成された識別コードを識別コード保存部４４に一旦保存する。コード通知部４５は、識別コード保存部４４に保存された画面生成部３８用識別コードを読み出して、読み出した画面生成部３８用識別コードを画像生成部３８の２次元コード生成部４８に通知する。
【００７８】
そして、画像生成部３８の２次元コード生成部４８は、画面生成部３８用識別コードを基に二次元コードの生成処理を行う（ステップＳ４）。また、コード通知部４５は、これと同時に、受像機監視装置２１への識別コードを通知する処理も行う（ステップＳ５）。
【００７９】
ステップＳ３で描画されたオッズ画面にステップＳ４で生成された二次元コードがはめ込まれて、受像機２８で放映される画面が描画される（ステップＳ６）。以上、ステップＳ１〜Ｓ６の処理が、ホスト情報の更新ごとに繰り返される。
【００８０】
図９は、上述した映像送出設備１７の図７に示した受像機監視装置２１の各部による処理動作を判りやすくまとめて示すフローチャートである。
【００８１】
図７の制御部６０は、図９において、先ず、識別コードの更新があるか否か判別する（ステップＳ１０１）。この処理は、映像送出設備１８から、識別コードの更新通知が識別情報生成部６１に入力されているか否かを判別する処理である。
【００８２】
そして、更新通知があれば（Ｓ１０１の判別がＹｅｓ）、制御部６０は、一方では識別情報生成部６６により識別情報を生成し、識別情報保存部６７に保存する。この生成された識別情報は受像機異常監視部６３の受像機異常検出部７１に送信される（ステップＳ１０２）。
【００８３】
また、他方では、制御部６０は、受像機情報読み取り部６２の二次元コードリーダ制御部６８に指示をして、受像機情報読み取り部６２の二次元コードリーダ制御部６８は、識別コードが更新されたオッズ画面に該当する受像機２８の二次元コードを２次元コードリーダ３３により読み取らせる。
【００８４】
読み取った二次元コードを読取データ保存部６９に保存する。そして、読取データ保存部６９から読み出された二次元コードは受像機異常監視部６３の受像機異常検出部７１に送信される（ステップＳ１０３）。
【００８５】
上記に続いて、受像機異常監視部６３の受像機異常検出部７１で情報比較処理を行う（ステップＳ１０４）。この処理は、受像機情報読み取り部６２の識別情報生成部６６により、ステップＳ１０２で生成された識別情報と、ステップＳ１０３で読み取られた二次元コードが示す識別情報とを比較する処理である。
【００８６】
次に、受像機異常検出部７１で、上記の比較の結果において、該当する受像機２８の映像は識別情報に差異のあるチャンネルか否かを判別する（ステップＳ１０５）。そして、識別情報に差異のあるチャンネルであれば（Ｓ１０５の判別がＹｅｓ）、受像機異常検出部７１は、受像機異常通知部７２にエラー信号を通知し、受像機異常通知部７２は、計算機室の管理者通知用表示機７５に警報を表示報知する（ステップＳ１０６）。
【００８７】
なお、この処理では、図７に示したように、スピーカ７３等により、いずれの受像機２８−ｉ（ｉ＝１、２、・・・、ｎ）に異常が発生しているかを、保守管理員に音声報知するようにすることもできる。
【００８８】
上記ステップＳ１０５の判別で、差異のあるチャンネルでないときは（Ｓ１０５の判別がＮｏ）、続いて、識別情報を比較すべき次のチャンネルがあるか否か判別する（ステップＳ１０７）。
【００８９】
そして、次のチャンネルがあれば（Ｓ１０７の判別がＹｅｓ）、ステップＳ１０４以下の処理を繰り返す。また、次のチャンネルがないときは（Ｓ１０７の判別がＮｏ）、ステップＳ１０１の処理に戻る。
【００９０】
このステップＳ１０１の判別で、識別コードの更新がないときは（Ｓ１０１の判別がＮｏ）、更に続いて二次元コードの定時読み取りを実施するタイミングであるか否か判別する（ステップＳ１０８）。この処理は、制御部６０に内蔵のメモリに予め設定された時間を計時することによって判別される。
【００９１】
ステップＳ１０８の判別で、定時読み取りを実施するタイミングでないときは（Ｓ１０８の判別がＮｏ）、ステップＳ１０１の識別コード更新の判別処理に戻る。
【００９２】
また、ステップＳ１０８の判別で、定時読み取りを実施するタイミングであるときは（Ｓ１０８の判別がＹｅｓ）、全受像機２８の二次元コードを読み取って（ステップＳ１０９）、ステップＳ１０４に移行し、ステップＳ１０４〜Ｓ１０７の処理を繰り返す。
【００９３】
このように、本発明の実施例によれば、オッズ情報の更新の都度、更新されたオッズ情報に対応する識別情報と二次元コードが生成されて比較され、差異が判別される。識別情報はコンピュータ内部でのみ処理されるデータであるため変化しない。
【００９４】
しかし、二次元コードは受像機に表示される映像であるため、出力チャンネルに間違いがあると二次元コード映像が所定の映像と異なって表示される。また、受像機そのものに故障があると二次元コード映像が表示されないため二次元コードの読み取りができない。いずれの場合も、識別情報と読み取りデータとの比較処理で差異が生じ、該当受像機の異常が検出される。
【００９５】
なお、上述した実施例では、実施の形態の要旨を逸脱しない範囲内において、種々の変更を加えることができる。例えば、二次元コードをオッズ画面の右上角にはめ込むようにしているが、これに限ることなく、二次元コードのはめ込み位置は、ファンがオッズ情報を読み取る際に目障りとならない位置であれば、オッズ画面のいずれの位置であってもよい。
【００９６】
さらに、上述の実施の形態は、多数の変形、変更が当業者にとって可能であり、説明した正確な構成および応用例に限定されるものではない。
【産業上の利用可能性】
【００９７】
本発明は、公営競技の各種投票券を集計処理するトータリゼータにおけるオッズの表示内容が設置場所や表示すべき時点で正しく表示されているかを監視する受像機の表示内容の監視システム、監視方法、及び監視プログラムに利用することができる。
【符号の説明】
【００９８】
１  境界線
２  映像送出設備
３  映像送出器
４  混合器・変調器
５  トータリゼータホスト
６  映像信号
７  分波器
８（８−１、８−２、・・・）  受像機（モニタ）
９  配線網
１１  配線
１５  受像機の表示内容監視システム
１６  境界線
１７  映像送出設備
１８  映像送出機
１９  混合器・変調器
２０  制御信号
２１  受像機監視装置
２２  計算機室ネットワーク機器
２３  トータリゼータホスト
２４  オッズデータ映像信号
２５  情報種別と更新情報
２６  配線網
２７  分波器
２８（２８−１、２８−２、・・・）  受像機（モニタ）
２９  分波器配線
３１  ＬＡＮ配線
３２  場内ネットワーク機器
３３（３３−１、３３−２、・・・）  二次元コードリーダ
３４  オッズデータ映像
３５  二次元コード映像
３６  制御部
３７  運用情報管理部
３８  画面生成部
３９  識別コード生成部
４１  ホスト情報保存部
４２  運用パターン保存部
４３  コード生成部
４４  識別コード保存部
４５  コード通知部
４６  画面描画部
４７  画像変換部
４８  二次元コード生成部
５０  識別コードの数値構成を説明する図表
５１〜５６  情報欄
６０  制御部
６１  識別情報生成部
６２  受像機情報読み取り部
６３  受像機異常監視部
６４  識別コード保存部
６５  受像機情報保存部
６６  識別情報生成部
６７  識別情報保存部
６８  二次元コードリーダ制御部
６９  読取データ保存部
７１  受像機異常検出部
７２  受像機異常通知部
７３  スピーカ
７４  警報
７５  管理者通知用表示機
【図１】
2014106818.tif 000003
【図３】
2014106818.tif 000004
【図５】
2014106818.tif 000005
【図６】
2014106818.tif 000006
【図８】
2014106818.tif 000007
【図９】
2014106818.tif 000008
【図２】
2014106818.tif 000009
【図４】
2014106818.tif 000010
【図７】
2014106818.tif 000011